(57)【要約】【課題】錘を安価に作製可能で、根掛かりを起こして海底に残されても、周辺の生物への悪影響を防ぐことができる異形棒鋼用キャップおよび漁用錘を提供する。【解決手段】鉄製で、円筒形状を成し、異形棒鋼１１の円周に沿った突条２１の外径より大きい内径を有している。また、一端に突条２１の外径より大きい径を有する開口２３ａを有している。外側係合部２６が、開口２３ａの一部が異形棒鋼１１の外径より小さくなるよう、開口２３ａの周縁に開口２３ａの内側に向かって突出して設けられている。内側係合部２７が、内周の一部が異形棒鋼１１の外径より小さくなるよう、内壁面から内部に向かって突出して設けられている。所定の長さに切断された異形棒鋼１１の端部に取り付けて使用される。【選択図】図１
0003145843.tif 000002
【実用新案登録請求の範囲】
【請求項１】
異形棒鋼を錘として利用するために、異形棒鋼の端部に取り付けて使用される異形棒鋼用キャップであって、
前記異形棒鋼の円周に沿った突条の外径より大きい径を有する開口と、
前記開口の一部が前記異形棒鋼の外径より小さくなるよう、前記開口の周縁に前記開口の内側に向かって突出して設けられた係合部と、
釣り糸を留めるための糸留部とを、
有することを特徴とする異形棒鋼用キャップ。
【請求項２】
鉄製で、円筒形状を成し、一端に前記開口を有し、前記異形棒鋼の円周に沿った突条の外径より大きい内径を有し、内周の一部が前記異形棒鋼の外径より小さくなるよう、内壁面から内部に向かって突出して設けられた内側係合部を有することを、特徴とする請求項１記載の異形棒鋼用キャップ。
【請求項３】
所定の長さに切断された前記異形棒鋼の少なくとも一方の端部に、請求項１または２記載の異形棒鋼用キャップを取り付けて成ることを、特徴とする漁用錘。
【考案の詳細な説明】
【技術分野】
【０００１】
本考案は、異形棒鋼用キャップおよび漁用錘に関する。
【背景技術】
【０００２】
従来の一般的な釣り用錘は、鉛製である（例えば、特許文献１参照）。また、従来の一般的な釣り用錘は、海釣りのとき錘が岩場等に挟まると、硬く噛み込んで固着し、抜けなくなる。このような根掛かりを起こしたときには、道糸や仕掛け糸を切断して対処する必要があり、錘や仕掛けが海底に残されることになる。
【０００３】
【特許文献１】特開２００２−１３６２５２号公報
【考案の開示】
【考案が解決しようとする課題】
【０００４】
近年の金属相場の高騰を受けて、従来の一般的な鉛製の釣り用錘は、その価格が２年で３〜４倍に急騰しているという課題があった。このため、日常的に鉛製の錘を使用する漁業者に限らず遊漁者も、その値上がりに困惑している。また、従来の一般的な鉛製の釣り用錘は、根掛かりを起こして海底に残されると、長年に渡り錘から鉛毒が溶出するため、周辺の魚類や餌料生物等のあらゆる生物に悪影響を与えるという課題があった。
【０００５】
なお、根掛かりを起こして仕掛けが海底に残されると、餌付釣り針に魚が掛かり、その魚は自由を奪われるためやがて死に至る。このように、海底に残された鉛製の錘や仕掛けにより、その周辺の環境が破壊され、再生できなくなる、いわゆる「死のエリア」になってしまう。このため、遊漁者に限らず漁業者も、漁場の持続的な環境保全を願っており、根掛かりを起こしても海の生態系に優しい釣り用錘が望まれていた。
【０００６】
本考案は、このような課題に着目してなされたもので、錘を安価に作製可能で、根掛かりを起こして海底に残されても、周辺の生物への悪影響を防ぐことができる異形棒鋼用キャップおよび漁用錘を提供することを目的とする。
【課題を解決するための手段】
【０００７】
上記目的を達成するために、本考案に係る異形棒鋼用キャップは、異形棒鋼を錘として利用するために、異形棒鋼の端部に取り付けて使用される異形棒鋼用キャップであって、前記異形棒鋼の円周に沿った突条の外径より大きい径を有する開口と、前記開口の一部が前記異形棒鋼の外径より小さくなるよう、前記開口の周縁に前記開口の内側に向かって突出して設けられた係合部と、釣り糸を留めるための糸留部とを、有することを特徴とする。
【０００８】
本考案に係る異形棒鋼用キャップは、異形棒鋼の端部を開口から挿入することにより、異形棒鋼に取り付けることができる。このとき、金槌や木槌などで叩いて、開口の一部が異形棒鋼の外径より小さくなるよう開口の周縁に開口の内側に向かって突出して設けられた係合部を、奥に向かって折り曲げるようにして、異形棒鋼の円周に沿った突条を係合部より奥まで挿入する。これにより、異形棒鋼が引っ張られても、突条が折り曲げられた係合部に引っ掛かるため、異形棒鋼を外れにくくすることができる。
【０００９】
異形棒鋼の長さを調節することにより、所望の重さの錘を容易に作製することができる。市販の異形棒鋼を利用できるため、錘を安価に作製できる。また、建築現場などで不要とされた異形棒鋼の切断片を利用することにより、より安価に錘を作製することができる。鉄や生分解性の材料により形成することにより、異形棒鋼も鉄製であるため、根掛かりを起こして海底に残されても、毒などの有害物質が溶出せず、その周辺の生物への悪影響を防ぐことができる。
【００１０】
本考案に係る異形棒鋼用キャップは、異形棒鋼の両端部に取り付けられても、一方の端部に取り付けられてもよい。使用する異形棒鋼の長さ等により、船釣り用錘や、延縄用錘、一本釣り用錘、刺し網用錘、篭漁用の錘、浮き球設置用の錘など、様々な用途の錘を作製することができる。
【００１１】
本考案に係る異形棒鋼用キャップは、鉄製で、円筒形状を成し、一端に前記開口を有し、前記異形棒鋼の円周に沿った突条の外径より大きい内径を有し、内周の一部が前記異形棒鋼の外径より小さくなるよう、内壁面から内部に向かって突出して設けられた内側係合部を有していてもよい。この場合、内側係合部により、異形棒鋼をより強固に保持することができる。市販の鋼板を抜き打ち加工して成形することにより、容易に製造することができる。このため、錘をより安価に作製することができる。
【００１２】
本考案に係る漁用錘は、所定の長さに切断された前記異形棒鋼の少なくとも一方の端部に、本考案に係る異形棒鋼用キャップを取り付けて成ることを、特徴とする。
【００１３】
本考案に係る漁用錘は、異形棒鋼用キャップを金槌や木槌などで叩いて、異形棒鋼の円周に沿った突条を係合部より奥まで挿入することにより、異形棒鋼を外れにくくすることができる。異形棒鋼の長さを調節することにより、所望の重さに容易に作製することができる。市販の異形棒鋼を利用できるため、安価である。また、建築現場などで不要とされた異形棒鋼の切断片を利用することにより、より安価に作製することができる。異形棒鋼用キャップを鉄や生分解性の材料により形成することにより、異形棒鋼も鉄製であるため、根掛かりを起こして海底に残されても、毒などの有害物質が溶出せず、その周辺の生物への悪影響を防ぐことができる。
【００１４】
本考案に係る漁用錘は、異形棒鋼用キャップを異形棒鋼の両端部に取り付けて成っても、一方の端部に取り付けて成ってもよい。使用する異形棒鋼の長さ等により、船釣り用錘や、延縄用錘、一本釣り用錘、刺し網用錘、篭漁用の錘、浮き球設置用の錘など、様々な用途の錘として使用することができる。
【考案の効果】
【００１５】
本考案によれば、錘を安価に作製可能で、根掛かりを起こして海底に残されても、周辺の生物への悪影響を防ぐことができる異形棒鋼用キャップおよび漁用錘を提供することができる。
【考案を実施するための最良の形態】
【００１６】
以下、図面に基づき本考案の実施の形態について説明する。
図１乃至図４は、本考案の実施の形態の異形棒鋼用キャップおよび漁用錘を示している。
図１および図２に示すように、漁用錘１０は、異形棒鋼１１と異形棒鋼用キャップ１２とを有している。
【００１７】
図１および図２に示すように、異形棒鋼（鉄筋建設用異径棒鋼切断片）１１は、市販の既製品を所定の長さに切断して成っている。異形棒鋼１１は、例えば、Ｄ１６，Ｄ１９，Ｄ２５，Ｄ３２などの規格品から成っている。異形棒鋼１１は、所定の間隔で円周に沿って設けられた複数の突条２１と、長さ方向に沿って中心線に対して線対称の位置に設けられた１対の突条２２とを有している。
【００１８】
図１および図２に示すように、異形棒鋼用キャップ１２は、キャップ本体２３と内側円筒部材２４と糸留ワイヤ２５とを有している。キャップ本体（噛み込みコア）２３は、鉄製で、市販のスチール鋼板（圧延鋼板）を抜き打ち加工して成形されている。キャップ本体２３は、円筒形状を成し、一端に開口２３ａを有し、他端が板状の蓋２３ｂにより塞がれている。キャップ本体２３は、内径が異形棒鋼１１の突条２１の外径より大きい径を有し、開口２３ａも異形棒鋼１１の突条２１の外径より大きい径を有している。図３（ａ）に示すように、キャップ本体（外側噛み込みコア）２３は、開口２３ａの周縁に開口２３ａの内側に向かってギザギザに突出するよう設けられた外側係合部２６を有している。開口２３ａは、外側係合部２６のギザギザに突出した部分で、異形棒鋼１１の外径より小さくなっている。
【００１９】
図１および図２に示すように、内側円筒部材２４は、鉄製で、市販のスチール鋼板（圧延鋼板）を抜き打ち加工して成形されている。内側円筒部材２４は、円筒形状を成し、両端に開口２４ａ，２４ｂを有している。内側円筒部材２４は、キャップ本体２３の内径と同じ外径を有し、長さがキャップ本体２３より短い。内側円筒部材２４は、内径が異形棒鋼１１の突条２１の外径より大きい径を有し、両端の開口２４ａ，２４ｂも異形棒鋼１１の突条２１の外径より大きい径を有している。図３（ｂ）に示すように、内側円筒部材（内側噛み込みコア）２４は、一方の開口２４ａの周縁に開口２４ａの内側に向かってギザギザに突出するよう設けられた内側係合部２７を有している。開口２３ａは、内側係合部２７のギザギザに突出した部分で、異形棒鋼１１の外径より小さくなっている。
【００２０】
図１および図２に示すように、内側円筒部材２４は、他方の開口２４ｂをキャップ本体２３の蓋２３ｂの内側に接触させて、キャップ本体２３の内側に固定されている。内側円筒部材２４は、スポット溶接により、キャップ本体２３に固定されている。これにより、内側係合部２７は、キャップ本体２３の内壁面から内部に向かって突出するようになっている。なお、図１に示す具体的な一例では、外側係合部２６および内側係合部２７は、突出した部分の内径が異形棒鋼１１の直径より３ｍｍ（片側が１．５ｍｍずつ）小さくなっている。
【００２１】
図１および図２に示すように、異形棒鋼用キャップ１２は、キャップ本体２３の蓋２３ｂの付け根部分に、キャップ本体２３および内側円筒部材２４の厚みを貫通して設けられた１対の貫通孔２８を有している。各貫通孔２８は、蓋２３ｂの中心に対して点対称の位置にそれぞれ設けられている。
【００２２】
図１および図２に示すように、糸留ワイヤ（糸留ワイヤーロープ）２５は、各貫通孔２８にそれぞれ１回挿入され、両端がキャップ本体２３の内側でジョイントスリーブ２９により圧着して接続されて、リング状に形成されている。糸留ワイヤ２５は、各貫通孔２８の位置で、スポット溶接によりキャップ本体２３に固定されている。糸留ワイヤ２５は、キャップ本体２３の外側の部分に、直接釣り糸を取り付けたり、サルカンを取り付けたりして使用可能になっている。
【００２３】
図２に示すように、異形棒鋼用キャップ１２は、異形棒鋼１１の端部をキャップ本体２３の開口２３ａから挿入して、異形棒鋼１１に取り付けられている。異形棒鋼用キャップ１２は、金槌や木槌などで叩いて、外側係合部２６および内側係合部２７を奥に向かって折り曲げるようにして、異形棒鋼１１の突条２１を内側係合部２７より奥まで挿入することにより、異形棒鋼１１に取り付けられている。
【００２４】
次に、作用について説明する。
異形棒鋼用キャップ１２は、異形棒鋼１１の突条２１を内側係合部２７より奥まで挿入しているため、異形棒鋼１１が引っ張られても、突条２１が折り曲げられた内側係合部２７または外側係合部２６に引っ掛かって、異形棒鋼１１を外れにくくすることができる。異形棒鋼用キャップ１２は、内側係合部２７および外側係合部２６の２つで異形棒鋼１１を強固に保持することができる。
【００２５】
漁用錘１０は、異形棒鋼１１の長さを調節することにより、所望の重さに容易に作製することができる。市販の異形棒鋼を利用するため、安価である。また、建築現場などで不要とされた異形棒鋼の切断片を利用することにより、より安価に作製することができる。異形棒鋼用キャップ１２を、市販のスチール鋼板を抜き打ち加工して成形するため、容易かつ安価に作成することができる。異形棒鋼用キャップ１２および異形棒鋼１１が鉄製であるため、根掛かりを起こして海底に残されても、毒などの有害物質が溶出せず、その周辺の生物への悪影響を防ぐことができる。
【００２６】
漁用錘（鉄筋おもり）１０は、異形棒鋼用キャップ１２を異形棒鋼１１の両端部に取り付けて成っても、一方の端部に取り付けて成ってもよい。例えば、図２に示すように、異形棒鋼用キャップ１２を異形棒鋼１１の一方の端部に取り付けて釣り用の錘として使用したり、図４に示すように、異形棒鋼用キャップ（鉄筋おもりキャップ）１２を異形棒鋼１１の両端部に取り付けて刺し網用の錘として使用したりすることができる。このように、漁用錘１０は、使用する異形棒鋼１１の長さ等により、船釣り用錘や、延縄用錘、一本釣り用錘、刺し網用錘、篭漁用の錘、浮き球設置用の錘など、様々な用途の錘として使用することができる。
【図面の簡単な説明】
【００２７】
【図１】本考案の実施の形態の異形棒鋼用キャップおよび漁用錘を示す斜視図および断面図である。
【図２】図１に示す漁用錘の釣り用錘としての使用状態を示す斜視図である。
【図３】図１に示す異形棒鋼用キャップの（ａ）外側係合部を示す底面図、（ｂ）内側係合部を示す底面図である。
【図４】図１に示す漁用錘の刺し網用錘としての使用状態を示す斜視図である。
【符号の説明】
【００２８】
１０  漁用錘
１１  異形棒鋼
１２  異形棒鋼用キャップ
２１，２２  突条
２３  キャップ本体
２３ａ  開口
２３ｂ  蓋
２４  内側円筒部材
２４ａ，２４ｂ  開口
２５  糸留ワイヤ
２６  外側係合部
２７  内側係合部
２８  貫通孔
２９  ジョイントスリーブ
【図１】
0003145843.tif 000003
【図２】
0003145843.tif 000004
【図３】
0003145843.tif 000005
【図４】
0003145843.tif 000006